(57)【特許請求の範囲】
【請求項１】
演奏情報を再生する演奏手段と、
映像の内容に沿って区切られた複数のチャプターで構成された背景映像情報を再生する映像再生手段と、
背景映像識別情報と終了情報を対応付けた管理情報を記憶する記憶手段と、
再生処理と、記憶処理を実行する制御手段とを備え、
再生処理は、入力手段にて指定された楽曲に対応する演奏情報を演奏手段に演奏させるとともに、楽曲を指定したユーザーのユーザー識別情報に対応する管理情報を記憶手段から読み出し、当該管理情報に含まれる背景映像識別情報に対応する背景映像情報を、当該管理情報に含まれる終了情報に基づいて、同じ背景映像を指定した楽曲が連続して予約されている場合には、終了情報として記憶した終了時間から再生させ、同じ背景映像を指定した楽曲が所定時間空けて再生される場合には、途中終了したチャプターの先頭、あるいは、前回の終了時間からさかのぼって再生させ、
記憶処理は、再生処理の終了時、背景映像情報の再生終了位置に対応した終了情報を、当該背景映像情報に対応する背景映像識別情報と、楽曲を指定したユーザーのユーザー識別情報に対応付けて管理情報として記憶手段に記憶させることを特徴とする
カラオケ装置。
【請求項２】
記憶手段は、複数の管理情報を記憶し、
再生処理で読み出される管理情報は、入力手段にて指定可能とされていることを特徴とする
請求項１に記載のカラオケ装置。
【請求項３】
楽曲が予約指定される際、入力手段にて管理情報を指定可能とし、予約指定された楽曲の演奏開始時にすでに再生の完了が予定される背景映像情報の管理情報は、選択の候補から除外することを特徴とする
請求項２に記載のカラオケ装置。
【請求項４】
予約された楽曲が途中停止されるなどにより、実際の演奏時間長が短くなり、予約された楽曲の演奏開始時にすでに再生の完了が予定されていた背景映像情報の再生が完了しなくなった場合には、再生の完了が予定されていた背景映像情報を再生させることを特徴とする
請求項３に記載のカラオケ装置。
【請求項５】
入力手段にて指定された楽曲に対応する演奏情報を演奏手段に演奏させるとともに、楽曲を指定したユーザーのユーザー識別情報に対応する管理情報を記憶手段から読み出し、当該管理情報に含まれる背景映像識別情報に対応し、映像の内容に沿って区切られた複数のチャプターで構成された背景映像情報を、当該管理情報に含まれる終了情報に基づいて、同じ背景映像を指定した楽曲が連続して予約されている場合には、終了情報として記憶した終了時間から再生させ、同じ背景映像を指定した楽曲が所定時間空けて再生される場合には、途中終了したチャプターの先頭、あるいは、前回の終了時間からさかのぼって再生させる再生処理と、
再生処理の終了時、背景映像情報の再生終了位置に対応した終了情報を、当該背景映像情報に対応する背景映像識別情報と、楽曲を指定したユーザーのユーザー識別情報に対応付けて管理情報として記憶手段に記憶させる記憶処理と、をコンピュータに実行させることを特徴とする
カラオケプログラム。
【発明の詳細な説明】
【技術分野】
【０００１】
本発明は、演奏される楽曲にあわせて歌唱を楽しむカラオケ装置、及びカラオケ装置にて利用されるカラオケプログラムに関するものであって、特に、楽曲を演奏するに際し、背景映像を表示するカラオケ装置、及びカラオケプログラムに関する。
【背景技術】
【０００２】
従来、演奏される楽曲にあわせて歌唱を楽しむカラオケ装置では、演奏に同期して歌詞情報を表示装置に表示させることが行われている。この表示装置に表示する歌詞情報の背景に、各種映像いわゆる背景映像を表示させ、歌唱の場の雰囲気を盛り上げることが知られている。この背景映像は、楽曲と一対一で用意されたものが用いられることで、楽曲の雰囲気や進行にマッチさせることや、楽曲のジャンルに対応付けられたものを用いることで背景映像に必要とされる記憶容量を抑えるなど、各種形態が採用されている。
【０００３】
特許文献１には、このようなカラオケ装置における背景映像の表示に関する機能（映像作品つづき再生機能）が開示されている。具体的には、楽曲１曲分の演奏時間以上の時間分の映像を収録した映像作品を格納しておき、映像作品データベースに対応付けられている特定の複数の楽曲を順次演奏させることで、先に見た映像作品の続きを見ることが可能となる。この映像作品つづき再生機能を利用することで、ユーザーは一連の作品映像を楽しむことが可能となる。
【先行技術文献】
【特許文献】
【０００４】
【特許文献１】特開２００８−２２５３７９号公報
【発明の概要】
【発明が解決しようとする課題】
【０００５】
しかしながら、特許文献１に記載される映像作品つづき再生機能は、予め映像作品データベースに対応付けられた楽曲を指定することで、映像作品のつづきを見ることができるものであって、映像作品を見続けるためには、演奏する楽曲が限定されてしまうこととなる。このように本来のカラオケの目的である歌唱について楽曲が限定されてしまうと、ユーザーは歌唱を楽しむことができない。また、歌唱したい楽曲を選択した場合には、映像作品を楽しむこともできない。
【０００６】
また、スナックなどのナイト店では、知らない人同士が集う場合もあり、このような場合に特許文献１の映像作品つづき再生機能を使用した場合には、同じユーザーあるいは同じグループに属するユーザーが立て続けに歌唱を行う、あるいは、他のグループのユーザーが歌唱する楽曲が限定されてしまう等の問題があり、この機能を利用することは困難である。
【０００７】
また、この映像作品つづき再生機能は、一度の来店で完結する機能であって、再度、カラオケ店を来店、あるいは、他のカラオケ店に来店したときに、前回視聴していた映像作品のつづきを見ることはできない。
【課題を解決するための手段】
【０００８】
そのため、本発明に係るカラオケ装置は、
演奏情報を再生する演奏手段と、
映像の内容に沿って区切られた複数のチャプターで構成された背景映像情報を再生する映像再生手段と、
背景映像識別情報と終了情報を対応付けた管理情報を記憶する記憶手段と、
再生処理と、記憶処理を実行する制御手段とを備え、
再生処理は、入力手段にて指定された楽曲に対応する演奏情報を演奏手段に演奏させるとともに、楽曲を指定したユーザーのユーザー識別情報に対応する管理情報を記憶手段から読み出し、当該管理情報に含まれる背景映像識別情報に対応する背景映像情報を、当該管理情報に含まれる終了情報に基づいて、同じ背景映像を指定した楽曲が連続して予約されている場合には、終了情報として記憶した終了時間から再生させ、同じ背景映像を指定した楽曲が所定時間空けて再生される場合には、途中終了したチャプターの先頭、あるいは、前回の終了時間からさかのぼって再生させ、
記憶処理は、再生処理の終了時、背景映像情報の再生終了位置に対応した終了情報を、当該背景映像情報に対応する背景映像識別情報と、楽曲を指定したユーザーのユーザー識別情報に対応付けて管理情報として記憶手段に記憶させることを特徴とする。
【０００９】
さらに本発明に係るカラオケ装置は、
楽曲が予約指定される際、入力手段にて管理情報を指定可能とし、予約指定された楽曲の演奏開始時にすでに再生の完了が予定される背景映像情報の管理情報は、選択の候補から除外することを特徴とする。
さらに本発明に係るカラオケ装置は、
予約された楽曲が途中停止されるなどにより、実際の演奏時間長が短くなり、予約された楽曲の演奏開始時にすでに再生の完了が予定されていた背景映像情報の再生が完了しなくなった場合には、再生の完了が予定されていた背景映像情報を再生させることを特徴とする。
【００１１】
さらに本発明に係るカラオケ装置において、
記憶手段は、複数の管理情報を記憶し、
再生処理で読み出される管理情報は、入力手段にて指定可能とされていることを特徴とする。
【００１４】
また本発明に係るカラオケプログラムは、
入力手段にて指定された楽曲に対応する演奏情報を演奏手段に演奏させるとともに、楽曲を指定したユーザーのユーザー識別情報に対応する管理情報を記憶手段から読み出し、当該管理情報に含まれる背景映像識別情報に対応し、映像の内容に沿って区切られた複数のチャプターで構成された背景映像情報を、当該管理情報に含まれる終了情報に基づいて、同じ背景映像を指定した楽曲が連続して予約されている場合には、終了情報として記憶した終了時間から再生させ、同じ背景映像を指定した楽曲が所定時間空けて再生される場合には、途中終了したチャプターの先頭、あるいは、前回の終了時間からさかのぼって再生させる再生処理と、
再生処理の終了時、背景映像情報の再生終了位置に対応した終了情報を、当該背景映像情報に対応する背景映像識別情報と、楽曲を指定したユーザーのユーザー識別情報に対応付けて管理情報として記憶手段に記憶させる記憶処理と、をコンピュータに実行させることを特徴とする。
【発明の効果】
【００１５】
本発明によれば、演奏情報を演奏させるとともに、背景映像情報に対応付けられた終了情報に対応する位置から背景映像情報を再生させることで、ユーザーは一連の背景映像情報を楽しむことが可能となる。また、ユーザー識別情報に対応付けられた終了情報を利用することで、歌唱するユーザー毎に一連の背景映像を提供することが可能となる。
【図面の簡単な説明】
【００１６】
【図１】本発明の実施形態に係るカラオケシステムの構成を示す図
【図２】本発明の実施形態に係るトップ画面を示す図
【図３】本発明の実施形態に係るユーザー情報を示す図
【図４】本発明の実施形態に係るユーザーに対するサービス処理を示す図
【図５】本発明の実施形態に係るアクティブユーザートップ画面を示す図
【図６】本発明の実施形態に係る楽曲予約処理を示すフロー図
【図７】本発明の実施形態に楽曲確認（背景映像選択）画面を示す図
【図８】本発明の実施形態に係る予約情報のデータ構成を示す図
【図９】本発明の実施形態に係る楽曲演奏処理を示すフロー図
【図１０】本発明の実施形態に係る楽曲演奏と背景映像再生の関係を説明する図
【図１１】本発明の他の実施形態に係る楽曲演奏と背景映像再生の関係を説明する図
【図１２】本発明の他の実施形態に係る楽曲演奏と背景映像再生の関係を説明する図
【発明を実施するための形態】
【００１７】
図１は、本発明の実施形態に係るカラオケシステムの構成を示す図である。本実施形態におけるカラオケシステムは、コマンダ２（カラオケ装置）と、リモコン装置１にて構成されており、これらは、ＬＡＮ１００にて、無線、有線で互いに接続されている。
【００１８】
店舗に設置されるコマンダ２は、リモコン装置１（例えば、１ａ、１ｂ）によりユーザーからの各種指示を受け付けることが可能となっている。また、リモコン装置１は表示部１１と操作部１７が共有されたタッチパネル表示画面を備え、ユーザーに対して各種情報の提供や、操作入力することが可能とされている。リモコン装置１は、ＬＡＮ１００上に設置されたアクセスポイント１１０ａを介してコマンダ２と無線接続される。図中に破線で示されるように、例えばコマンダ２ａにはリモコン装置１ａと１ｂが対応付けられ、ＬＡＮ１００ａを介して情報を送受信することが可能となっている。また、リモコン装置１とコマンダ２とは赤外線などを利用した近距離通信を行うことも可能である。
【００１９】
さらに、本実施形態のカラオケシステムでは、ユーザーに各種サービスを提供するためインターネットを介したホスト５（サーバ装置）が設けられ、楽曲情報やユーザー情報など、各種サービスに必要な情報を記憶している。そして、ルータ１２０ａを通じて、コマンダ２、又はリモコン装置１ａと、前述した情報の送受信が行える。
【００２０】
コマンダ２は、全体を統括制御する制御部３０を中心として機能し、主な機能として、楽曲演奏処理、映像表示処理、楽曲予約処理などを実行可能としている。楽曲演奏処理は、入力部２１やリモコン装置１にて、ユーザーにより指定された楽曲に対応する演奏情報をＭＩＤＩ音源を含んで構成される音響制御部７０にて演奏させ、スピーカー４２から放音させる処理である。このとき、スピーカー４２からは歌唱用マイク４４ａ、４４ｂから入力される音声も合わせて放音される。映像再生処理は、映像再生部２９にて各種映像情報、歌詞情報などを再生させ、モニタ４１を介した視覚情報をユーザーに提供する処理である。
【００２１】
楽曲予約処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１は、この楽曲指定処理に限らず、ユーザー個別のサービスを提供するためのログイン処理など各種処理を実行することが可能である。
【００２２】
図２は、本発明の実施形態に係るトップ画面、すなわち、リモコン装置１を起動した直
後の画面を示す図である。本実施形態では、リモコン装置１の表示部１１に表示を行うことで、リモコン装置１を操作するユーザーに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００２３】
本実施形態のカラオケシステムは、複数のユーザーが各リモコン装置１のタッチパネル表示画面から必要な情報（後述するユーザＩＤやパスワード）を入力し、ログインすることが可能となっている。ユーザーのログインに関する情報は画面上方に常時表示される。ログインしたユーザーの分身像（アバター）を表示するためのログインユーザー欄１０３が設けられている。なお、分身像としては、人、キャラクターを模した像の他、図形や記号など各種形態を採用することができる。
【００２４】
また、アカウントを有していないユーザーのためのゲストアイコン１０２、ユーザーを切り替えるためのユーザー切替スイッチ１０１が表示されている。ログインしたユーザーは、ログインユーザー欄１０３に表示される分身像を選択、あるいは、ユーザー切替スイッチ１０１を操作することで、自分のユーザー情報を利用した各種サービスを受けることが可能となる。また、アカウントを有していないユーザーは、ゲストアイコン１０２を操作することで、選曲など一般的なサービスを受けることが可能となっている。なお、ユーザーの切替の際には、パスワードなど認証を行うこととしてもよいが、認証を行うことなく簡易に切り替えることとしてもよい。
【００２５】
図３は、各ユーザー毎に、ホスト５に記憶されたユーザー情報を説明するための図である。本実施形態では、ユーザー情報として、個人情報、背景映像テーブルといった、ユーザーに関する各種情報を含んで構成される。ユーザー情報は、カラオケ用ホスト１の記憶部５１に予め記憶されている。また、ユーザー情報には、ユーザーがリモコン装置１からホスト５へログインしてこれら情報を利用するためのユーザーＩＤ、パスワードが対応付けられている。個人情報には、ユーザー名（実際の名前に限ったものでなく、ニックネームであってもよい）、性別、年齢等を含んで構成されている。また、これら各種情報は、リモコン装置１、あるいは、インターネットなどのネットワークに接続された図示しないパーソナルコンピュータ、携帯情報端末などにてログインして設定することも可能である。
【００２６】
背景映像テーブルは、ユーザーが背景映像選択モードを利用した際の各種情報を記憶しておくテーブルであって、本実施形態では、背景映像ＩＤ、終了情報、終了日時情報のセット（本発明における「管理情報」）を含んで構成されている。本実施形態の背景映像テーブルは、これら情報のセットを複数記憶しており、ユーザーは、再生途中の複数の背景映像の候補中から選択することが可能となっている。このように複数記憶する以外に、最新のもののみを記憶することも可能である。
【００２７】
図４は、このユーザー情報の送受信の様子を示した図である。カラオケ店舗に来店したユーザーは、自己のユーザーＩＤとパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザーの識別情報を読み取った、コマンダ２あるいはリモコン装置１は、識別情報をカラオケ用ホスト５に送信し（Ｓ１０２）、識別情報を受信したカラオケ用ホスト５は記憶部１に記憶されたデータベースから、該当するユーザーのユーザー情報を抽出し（Ｓ１２１）、問い合わせのあったコマンダ２あるいはリモコン装置１に対して送信する（Ｓ１２２）。
【００２８】
ユーザー情報を受信したコマンダ２側では（Ｓ１０３）、受信したユーザー情報に基づ
いて、選曲処理、演奏処理など各種サービス処理が提供される（Ｓ１０４）。ユーザーによりログアウトが要求される（Ｓ１０５）とサービス処理を中断し、サービス処理中における各種履歴（ログ）、あるいは、ユーザーによる設定変更を反映したユーザー情報をカラオケ用ホスト５に送信する（Ｓ１０６）。ここで、ユーザー情報は、全ての情報を送信することの他、更新された差分だけを送信してもよい。カラオケ用ホスト５では、受信したユーザー情報に基づいて記憶部１に記憶されたデータベースの更新を実行する（Ｓ１２４）。
【００２９】
以上、１ユーザーが認証処理（ログイン）してから、ログアウトするまでの流れを説明したが、本実施形態のコマンダ２、リモコン装置１は、認証された複数人（認証ユーザー）が同時にログインした状態で使用することが可能となっており、図２で説明したユーザーインターフェイスを用いることで、サービスを提供するユーザー（以下、「アクティブユーザー」という）を切り替えて使用することが可能となっている。
【００３０】
図５は、本発明の実施形態に係るアクティブユーザートップ画面を示す図である。この図に示されるように、複数人がログインした状態ではログインユーザー欄１０３にログインしたユーザーの分身像１０３ａ〜１０３ｅ（本実施形態では顔部分）が表示される。またログインユーザー欄１０３中、右端に背景がハイライトで示されるユーザーは、アクティブユーザー１０３ｅであって、図に示す状態では、このアクティブユーザー１０３ｅに対するサービス、すなわち、アクティブユーザー１０３ｅのユーザー情報を利用したサービスが実行されている状態となっている。
【００３１】
このアクティブユーザートップ画面では、「曲を探す」を選択することで、従来の歌本と同様、歌手名、楽曲名に基づく検索を行うことができる。特に、本実施形態では「連続背景映像」を指定することで、長時間にわたる背景映像を前回の歌唱に引き続いて楽しむことを可能としている。
【００３２】
では、本発明に係るカラオケ装置における連続背景モードについて説明する。なお、本発明は、カラオケ装置のみならず、カラオケ装置あるいは汎用の各種コンピューターに実行可能なプログラムとして提供することも可能である。まず、最初に図５のアクティブユーザートップ画面において「連続背景映像」が選択されたときの楽曲予約処理について説明する。
【００３３】
図６は、本発明の実施形態に係る楽曲予約処理を説明するフロー図である。図５のアクティブユーザートップ画面にてユーザーからの各種入力を判断し、連続背景モードが選択されたと判断した場合（Ｓ２０１：Ｙｅｓ）には、次の処理に進む。一方、それ以外の入力の場合（Ｓ２０１：Ｎｏ）には、対応する処理を実行する。Ｓ２０２では、適宜インターフェイスを表示してユーザーに歌唱する楽曲を選択させる。この処理は、通常の楽曲選択と同様であって、楽曲名、歌手名、ジャンル名等に基づいて希望する楽曲が選択されることとなる。
【００３４】
楽曲選択が終了すると、背景映像を選択させる処理に移行する。Ｓ２０３では、アクティブユーザーのユーザー情報（背景映像テーブル）を参照し、再生途中の背景映像があるか否かを判定する。この判定は、背景映像テーブル中の終了情報を参照して判定することが可能である。再生途中の背景映像が有ると判定された場合（Ｓ２０３：Ｙｅｓ）には、背景映像テーブルを参照し、再生途中の背景映像のＩＤが抽出され、楽曲確認画面の表示（Ｓ２０６）に移行する。
【００３５】
図７には、本発明の実施形態に係る楽曲確認画面が示されている。本画面ではＳ２０２で選択した楽曲が、ユーザーが歌唱したい楽曲に間違いないかを確認させる画面であって
、確認させる情報として、当該楽曲の化歌手名、曲名、歌い出しを表示させている。さらに、この楽曲確認画面では、当該楽曲の背景映像に使用したい背景映像を選択することが可能となっている。本実施形態では、ユーザーが過去に選択した背景映像中、複数の候補の中から希望するものを選択することを可能としている。本実施形態では、再生途中の背景映像を選択するための情報として、映像名、開始位置／全チャプター、内容、再生日時が表示されている。ユーザーは項目の左側に表示されているラジオボタンを選択することで、使用する背景映像を選択することが可能となっている。デフォルト状態では、最新の再生日時の背景映像が選択された状態、すなわち直近に使用した背景映像が選択された状態となっている。
【００３６】
表示項目中、映像名、内容については、背景映像テーブル中の背景映像ＩＤを用い、データベースを参照することで表示される。また、開始位置／全チャプターは、背景映像ＩＤを用いて取得した背景映像の全チャプター数と、背景映像テーブル中に背景映像ＩＤに対応付けられた終了情報に基づいて判定された開始位置にて表示される。本実施形態では、背景映像情報が複数のチャプターに分割されており、途中からの再生開始はチャプター単位で実行される。
【００３７】
このように本実施形態では、ユーザーは再生途中の背景映像を選択することを可能としている。再生途中の背景映像が無い場合、あるいは、表示される候補の中にユーザーが使用したい背景映像が無い場合には、「別の背景映像を選択」と表記されたボタンを操作することで、別の背景映像選択画面に遷移して新たな背景映像を選択することができる。選択においては、映像名、内容などをキーとして検索するなど、各種形態を採用することができる。
【００３８】
この楽曲確認画面において「予約」ボタンを操作することで、当該楽曲ならびに選択された背景映像の予約が実行される。リモコン装置１からコマンダ２に送信された予約情報は、コマンダ２に記憶する予約テーブルにて管理される。図８にはリモコン装置１からコマンダ２に送信される予約情報のデータ構成が示されている。本実施形態では、予約した楽曲を示す楽曲ＩＤ、予約を実行したユーザー（アクティブユーザー）のユーザーＩＤ、選択した背景映像ＩＤが含まれている。
【００３９】
図９には、コマンダ２にて実行される楽曲演奏処理が示されている。Ｓ３０１ではコマンダ２側で記憶管理される予約情報が読み出される。Ｓ３０２では、読み出した予約情報に基づいて、当該予約が連続背景モードで行われたものか否かを判定する。連続背景モードでない場合には、対応する演奏処理が実行される。一方、連続背景モードで予約されたものである場合には、ユーザーＩＤと背景映像ＩＤに基づいて終了情報を抽出する。具体的には、ユーザーＩＤに該当するユーザー情報中の背景映像テーブル中、背景映像ＩＤに対応付けられた終了情報の有無を検索する。
【００４０】
終了情報がある場合（Ｓ３０３：Ｙｅｓ）には、予約情報に含まれる楽曲ＩＤに対応した演奏情報を音響制御部７０にて演奏させる（Ｓ３０４）とともに、予約情報に含まれる背景映像ＩＤに対応する背景映像情報を終了情報に対応する位置から映像再生部２９にて再生させる。一方、終了情報が無い場合（Ｓ３０３：Ｎｏ）には、演奏情報の再生開始（Ｓ３０６）とともに、予約情報に含まれる背景映像ＩＤに対応した背景映像情報を先頭から再生させる（Ｓ３０７）。
【００４１】
Ｓ３０８では、演奏情報の終了を判定する。この終了判定は演奏情報が最後まで演奏された場合、あるいは、ユーザーによる停止指令のどちらの場合も含んだものである。演奏情報の終了が判定される（Ｓ３０８：Ｙｅｓ）と、それに同期して背景映像情報の再生を停止させる（Ｓ３０９）。Ｓ３０１では、停止させた背景映像情報に基づいて終了情報、
終了日時情報を背景映像テーブルに記憶させる。
【００４２】
図１０には、本発明の実施形態に係る楽曲演奏と背景映像再生の関係が示されている。図に示されるように本実施形態の背景映像情報は、映像の内容に沿って区切られた複数のチャプターで構成されている。この実施例では、１チャプターの長さが約１分程度の７つのチャプターで構成されている。背景映像情報の下方には、連続背景モードにて演奏された楽曲が示されている。最初の楽曲１に対して同期再生される背景映像は、背景映像の先頭からチャプター３の半ば（３分１４秒）まで再生されることとなる。楽曲１の演奏終了時に記憶される終了情報としては、背景映像情報の再生終了時間である「３分１４秒」を記憶してもよいし、再生途中のチャプター３、あるいは、全てを再生したチャプター２を採用してもよい。
【００４３】
次に演奏される楽曲２について同期再生される背景映像情報、記憶した終了情報を参照し、チャプター３の先頭から再生されることとなる。楽曲３、楽曲４についても同様に、途中終了したチャプターの先頭から演奏させることで、背景映像情報の全ての箇所を網羅的に再生させることとしている。また、チャプターを単位として再生させることで、内容的に区切りの良い箇所から再生されることとなる。途中再生の方法としては、このような形態以外に、終了情報として記憶した終了時間から再生させる、あるいは、終了時間から所定時間遡って再生させることなどが考えられる。さらに、これら形態を組み合わせる構成も考えられる。例えば、同じ背景映像を指定した楽曲が連続して予約されている場合には、終了情報として記憶した終了時間から再生させ、同じ背景映像を指定した楽曲が所定時間空けて再生される場合には、途中終了したチャプターの先頭、あるいは、前回の終了時間からさかのぼって再生させることとしてもよい。このような構成によれば、１の背景映像を指定した楽曲が連続して演奏されるときには、指定された背景映像も直前に見た映像の続きから直ぐに見ることができるとともに、楽曲が間をおいて演奏されるときには、前回の背景映像の内容を確認することが可能となる。
【００４４】
図に示される楽曲４については、楽曲の演奏途中に背景映像情報の再生が終了してしまい、不足期間が生じることとなる。この場合、同じ背景映像情報の適宜箇所、例えば、先頭から、あるいは、予め決められたダイジェスト部分を再生させ、背景映像の再生が途切れないようにするとよい。あるいは、別途用意された背景映像情報を再生し不足期間を補うことが考えられる。
【００４５】
このように、本実施形態では、演奏情報を演奏させるとともに、背景映像情報に対応付けられた終了情報に対応する位置から背景映像情報を再生させることで、ユーザーは一連の背景映像情報を楽しむことが可能となる。特に、本実施形態では、ユーザーＩＤ（ユーザー識別情報）に対応付けられた終了情報を利用することで、歌唱するユーザー毎に一連の背景映像を提供することが可能となる。また、ユーザーがログアウトして、再度ログインして使用する際、例えば、再来店での利用時において、背景映像の続きを楽しむことが可能となる。なお、本実施形態では、各ユーザーに対応した背景映像テーブルを使用することで、ユーザー毎に背景映像を連続して再生することとしているが、同席する複数のユーザー間で、１の背景映像を連続して再生することとしてもよい。
【００４６】
ところで、背景映像情報の続きを見る場合、特に前回の演奏時から時間が経過している場合、続きをみたとしても内容を把握しづらいことが考えられる。そのため、背景映像情報の続きを再生する前に、前回までのダイジェスト映像を再生させることでユーザーに内容を把握させることが可能となる。図１１は、このような実施形態における楽曲演奏と背景映像再生の関係を示したものである。
【００４７】
この実施形態では、背景映像情報の続きを再生させる前に、前回までに再生した背景映
像情報中のダイジェスト部分を再生させることとしている。楽曲２の演奏に着目してみると、楽曲２の演奏開始にあたって、チャプター１とチャプター２のダイジェスト部分Ａ、Ｂを再生させた後、続き部分であるチャプター３を再生させることとしている。このダイジェスト部分は、背景映像情報中に予め定義された部分であって、各チャプターの内容を顕著に示す部分が選択されている。ダイジェスト部分は、チャプター毎に設けなくてもよいし、１つのチャプターに複数のダイジェスト部分を設けることとしてもよい。また、ダイジェスト部分としてチャプターの先頭部分を用いるなど適宜形態を採用することができる。
【００４８】
このように、本実施形態では、背景映像情報の続きを再生させる前に、前回までに再生された背景映像情報のダイジェスト部分を再生させることで、一連の映像の内容をユーザーに把握させることが可能となる。なお、ダイジェスト部分の再生は、背景映像テーブルの終了日時情報を参照し、所定時間が経過していることをもって再生させることとしてもよいし、あるいは、一度ログアウトしてから再度ログインした場合にのみ再生させることとしてもよい。
【００４９】
前述した実施形態では、楽曲の予約時に当該楽曲に使用する背景映像情報を指定することとしている。カラオケ装置では、通常、複数の楽曲を予約可能としている。このような場合、予約時に背景映像として使用することを指定したにも関わらず、指定された背景映像情報が既に最後まで再生終了していることが考えられる。そのため、既に予約した楽曲の演奏時間、並びに、背景映像情報の再生時間を考慮して、指定できる背景映像情報を制限することとしてもよい。すなわち、これから予約を行う楽曲については、その演奏時に再生終了している背景映像情報を除外することとなる。
【００５０】
図１２は、このような状況を説明するため図であり、楽曲演奏と背景映像再生の関係が示されている。楽曲１〜楽曲３については、背景映像情報Ａの再生の再生時間長で足りることとなるが、それ以降に演奏されれる楽曲４、楽曲５については、既に楽曲１〜楽曲３に対して背景映像情報Ａの再生が完了していることとなるため、不足期間２が生じることとなる。このような場合、楽曲４、楽曲５の予約時に、背景映像情報Ａの指定を可能にしてしまうと不都合が生じることが分かる。そのため、背景映像情報Ａの再生時間長と、楽曲の演奏時間長などに基づいて、不足期間２が生じることが判断されたときには、該当する楽曲４以降の予約時には、背景映像情報Ａの選択を除外することとする。具体的には、図７に示す画面において、背景映像選択の候補として表示しないこととする。
【００５１】
また、予約した楽曲が途中停止されるなどにより、実際の演奏時間長が短くなる場合、予約時には不足時間２が生じると判断されても、実際は不足時間２が生じない場合が考えられる。例えば、図１２において、楽曲２の演奏が半分の時間で途中停止（ユーザー指示などによる）された場合、背景映像情報Ａは楽曲４演奏時にも不足期間２を生じないこととなる。このような場合、既に楽曲４予約時に、背景映像情報Ａは指定不可能なため、除外され、他の背景映像情報が指定されることとなるが、背景映像情報Ａが残りわずかにも関わらす最後まで観られないのはユーザにとって好ましくない。そのため、楽曲４の演奏時、楽曲４予約時に指定した他の背景映像情報の再生の前に、楽曲の中止の影響にて未再生だった背景映像情報Ａの部分を優先的に再生することとしてもよい。
【００５２】
このように、本実施形態では、実際の楽曲演奏時において、選択した背景映像情報が再生終了となる状況を避けることが可能となる。なお、図に示す不足期間１については、図１０で説明した不足期間と同様、適宜映像を再生することで補うこととすればよい。また、予約時に背景映像情報が再生完了とされているか否かの判定は、図１１で示したダイジェスト部分の再生など、実際の状況を考慮して判定することが好ましい。
【００５３】
なお、本発明はこれらの実施形態のみに限られるものではなく、それぞれの実施形態の構成を適宜組み合わせて構成した実施形態も本発明の範疇となるものである。
【符号の説明】
【００５４】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２７…メモリ、２８…ビデオＲＡＭ、２９…映像再生部、３０…制御部、３１…映像制御部、３２…ハードディスク、４１…モニタ、４２…スピーカー、４４ａ、４４ｂ…歌唱用マイク、１００…ＬＡＮ、１１０…アクセスポイント、１２０…ルータ、５…カラオケ用ホスト、５１…第１記憶部、７０…音響制御部
【図１】
0005665131.tif 000002
【図２】
0005665131.tif 000003
【図３】
0005665131.tif 000004
【図４】
0005665131.tif 000005
【図５】
0005665131.tif 000006
【図６】
0005665131.tif 000007
【図７】
0005665131.tif 000008
【図８】
0005665131.tif 000009
【図９】
0005665131.tif 000010
【図１０】
0005665131.tif 000011
【図１１】
0005665131.tif 000012
【図１２】
0005665131.tif 000013